(57)【要約】【課題】  圧板読み取り時にも、原稿全体の厚さ検知を行って、原稿の特定領域の画像のみを読み取ることができるようにする。【解決手段】  画像読取装置の制御部は、原稿厚さセンサ６をコンタクトガラス１の長手方向である副走査方向に移動させ、その原稿厚さセンサ６にコンタクトガラス１の上面にセット（載置）された原稿をそのコンタクトガラスの下面側から走査させることにより、その原稿全体の厚さ検知を行って、その厚さの分布を取得する。そして、その厚さの分布に基づいて、原稿の全面上でその原稿の厚さとは異なる厚さの領域を判別し、その判別した領域を含む領域毎に読み取りの条件（読み取りの要否）を設定する。【選択図】        図５
2011193116.tif 000002
【特許請求の範囲】
【請求項１】
コンタクトガラスの上面にセットされた原稿を該コンタクトガラスの下面側から走査して画像を読み取る画像読取手段と、該画像読取手段による読み取りの条件を設定する読み取り条件設定手段とを有する画像読取装置であって、
前記コンタクトガラスの上面にセットされた原稿を該コンタクトガラスの下面側から走査して該原稿全体の厚さを検知する原稿厚さ検知手段と、
該原稿厚さ検知手段によって検知される前記原稿全体の厚さの分布に基づいて、該原稿の全面上で該原稿の厚さとは異なる厚さの領域を判別する領域判別手段とを設け、
前記読み取り条件設定手段は、前記領域判別手段によって判別された領域を含む領域毎に前記読み取りの条件を設定する手段を有することを特徴とする画像読取装置。
【請求項２】
前記読み取り条件設定手段は、前記領域判別手段による判別の結果、前記異なる厚さの領域があった場合に、最も厚い領域のみを読み取り領域として設定することを特徴とする請求項１に記載の画像読取装置。
【請求項３】
請求項１に記載の画像読取装置において、
前記異なる厚さの領域を特定するための閾値を記憶保持する閾値記憶手段を設け、
前記読み取り条件設定手段は、前記領域判別手段による判別の結果、前記異なる厚さの領域があった場合に、前記閾値を超えた厚さの領域のみを読み取り領域として設定することを特徴とする画像読取装置。
【請求項４】
請求項１に記載の画像読取装置において、
前記異なる厚さの領域を特定するための閾値を記憶保持する閾値記憶手段を設け、
前記読み取り条件設定手段は、前記領域判別手段による判別の結果、前記異なる厚さの領域があった場合に、最も厚みの小さい領域の厚さに前記閾値を加算し、その加算後の値を超えた厚さの領域のみを読み取り領域として設定することを特徴とする画像読取装置。
【請求項５】
請求項１に記載の画像読取装置において、
前記異なる厚さの領域を特定するための閾値と、読み取り領域の厚さ範囲を表わすための限界値とを記憶保持する閾値記憶手段を設け、
前記読み取り条件設定手段は、前記領域判別手段による判別の結果、前記異なる厚さの領域があった場合に、前記閾値に対しての差分が前記限界値以内である厚みの領域を読み取り領域として設定することを特徴とする画像読取装置。
【請求項６】
請求項１に記載の画像読取装置において、
前記異なる厚さの領域を特定するための閾値と、読み取り領域の厚さ範囲を表わすための限界値とを記憶保持する閾値記憶手段を設け、
前記読み取り条件設定手段は、前記領域判別手段による判別の結果、前記異なる厚さの領域があった場合に、最も厚みの小さい領域の厚さに前記閾値を加算し、その加算後の値に対しての差分が前記限界値以内である厚みの領域を読み取り領域として設定することを特徴とする画像読取装置。
【請求項７】
請求項１乃至６のいずれか一項に記載の画像読取装置において、
前記画像読取手段による読み取りのモードとして、前記原稿の全面の画像読み取りを行う通常読み取りモード、あるいは前記異なる厚さの領域の画像読み取りを行う特定情報読み取りモードを、外部からの指示によって設定する読み取りモード設定手段を設け、
前記読み取り条件設定手段は、前記読み取りモード設定手段によって前記通常読み取りモードが設定された場合には、前記読み取りの条件を前記原稿の全面に対して設定し、前記読み取りモード設定手段によって前記特定情報読み取りモードが設定された場合には、前記領域判別手段によって判別された領域を含む領域毎に前記読み取り条件の設定を行うことを特徴とする画像読取装置。
【請求項８】
請求項１乃至７のいずれか一項に記載の画像読取装置を備え、該画像読取装置の前記画像読取手段によって読み取られた画像データに基づいて画像形成処理を行うことを特徴とする画像形成装置。
【発明の詳細な説明】
【技術分野】
【０００１】
この発明は、原稿の画像を読み取るイメージスキャナ等の画像読取装置（デジタル複写機やファクシミリ装置等の画像形成装置に搭載された画像読取部あるいは単体の画像読取装置）、およびその画像読取装置を搭載した画像形成装置に関する。
【背景技術】
【０００２】
上記のような画像読取装置として、原稿全体の厚さの検知を行うことにより、その原稿の全面上でその原稿の厚さとは異なる厚さの領域を特定し、その領域（原稿の特定領域）の画像のみを読み取る（例えば封筒に貼り付けた宛先シールの画像のみを原稿全体の厚さ検知情報を元に読み取る）技術を利用したものが知られている。
このような画像読取装置では、ＡＤＦ（自動原稿給送装置）により原稿を読み取り位置（コンタクトガラス等）に自動給送して、その原稿の画像を読み取る時（ＤＦ読み取り時）に、原稿搬送路に配置されている透過型又は反射型のセンサアレイを用いて原稿全体の厚さ検知を行うことにより、原稿の全面上でその原稿の厚さとは異なる厚さの領域である特定領域の画像を読み取ることができる。
【０００３】
しかし、圧板によって読み取り位置にセットされた原稿の画像を読み取る時（圧板読み取り時）には、原稿全体の厚さ検知を行うことができない。つまり、ＡＤＦを備えていない場合、原稿の特定領域の画像のみを読み取る機能を実現できないという問題がある。また、厚い本を原稿とする場合等、ＡＤＦによる搬送不可能の原稿についてはそもそも、上記機能を実現できないという問題がある。
【０００４】
そこで、その問題を解消するため、特許文献１に開示されている技術を利用することが考えられる。
特許文献１には、原稿の画像読み取り時の裏移り防止目的で、原稿への光照射によって得た原稿の光透過率から、その原稿全体の厚さを検知し、その厚さに応じて裏移りを防止するような読み取り条件の設定を行う構成について開示されている。
【発明の概要】
【発明が解決しようとする課題】
【０００５】
しかしながら、特許文献１に記載のものでも、原稿の特定領域の画像のみを読み取ることができないという問題は解消できていない。
この発明は、上記の点に鑑みてなされたものであり、圧板読み取り時にも、原稿全体の厚さ検知を行って、原稿の特定領域の画像のみを読み取ることができるようにすることを目的とする。
【課題を解決するための手段】
【０００６】
この発明は、上記の目的を達成するため、画像読取装置およびそれを備えた画像形成装置を提供する。
この発明による画像読取装置は、コンタクトガラスの上面にセットされた原稿をそのコンタクトガラスの下面側から走査して画像を読み取る画像読取手段と、その画像読取手段による読み取りの条件を設定する読み取り条件設定手段とを有する画像読取装置であって、上記コンタクトガラスの上面にセットされた原稿をそのコンタクトガラスの下面側から走査してその原稿全体の厚さを検知する原稿厚さ検知手段と、それによって検知される上記原稿全体の厚さの分布に基づいて、その原稿の全面上でその原稿の厚さとは異なる厚さの領域を判別する領域判別手段とを設け、上記読み取り条件設定手段に、上記領域判別手段によって判別された領域を含む領域毎に上記読み取りの条件を設定する手段を備えたものである。
【０００７】
さらに、以下の（１）〜（５）のいずれかに示すようにするとよい。
（１）上記読み取り条件設定手段が、上記領域判別手段による判別の結果、上記異なる厚さの領域があった場合に、最も厚い領域のみを読み取り領域として設定する。
（２）上記異なる厚さの領域を特定するための閾値を記憶保持する閾値記憶手段を設け、上記読み取り条件設定手段が、上記領域判別手段による判別の結果、上記異なる厚さの領域があった場合に、上記閾値を超えた厚さの領域のみを読み取り領域として設定する。
【０００８】
（３）上記異なる厚さの領域を特定するための閾値を記憶保持する閾値記憶手段を設け、上記読み取り条件設定手段が、上記領域判別手段による判別の結果、上記異なる厚さの領域があった場合に、最も厚みの小さい領域の厚さに上記閾値を加算し、その加算後の値を超えた厚さの領域のみを読み取り領域として設定する。
（４）上記異なる厚さの領域を特定するための閾値と、読み取り領域の厚さ範囲を表わすための限界値とを記憶保持する閾値記憶手段を設け、上記読み取り条件設定手段が、上記領域判別手段による判別の結果、上記異なる厚さの領域があった場合に、上記閾値に対しての差分が上記限界値以内である厚みの領域を読み取り領域として設定する。
【０００９】
（５）上記異なる厚さの領域を特定するための閾値と、読み取り領域の厚さ範囲を表わすための限界値とを記憶保持する閾値記憶手段を設け、上記読み取り条件設定手段が、上記領域判別手段による判別の結果、上記異なる厚さの領域があった場合に、最も厚みの小さい領域の厚さに上記閾値を加算し、その加算後の値に対しての差分が上記限界値以内である厚みの領域を読み取り領域として設定する。
【００１０】
また、上記画像読取手段による読み取りのモードとして、上記原稿の全面の画像読み取りを行う通常読み取りモード、あるいは上記異なる厚さの領域の画像読み取りを行う特定情報読み取りモードを、外部からの指示によって設定する読み取りモード設定手段を設け、上記読み取り条件設定手段が、上記読み取りモード設定手段によって上記通常読み取りモードが設定された場合には、上記読み取りの条件を上記原稿の全面に対して設定し、上記読み取りモード設定手段によって上記特定情報読み取りモードが設定された場合には、上記領域判別手段によって判別された領域を含む領域毎に上記読み取り条件を設定するとよい。
【００１１】
この発明による画像形成装置は、上記の画像読取装置を備え、その画像読取装置の上記画像読取手段によって読み取られた画像データに基づいて画像形成処理を行うものである。
【発明の効果】
【００１２】
この発明によれば、画像読取装置又はそれを備えた画像形成装置が、コンタクトガラスの上面にセットされた原稿を、そのコンタクトガラスの下面側から走査してその原稿全体の厚さを検知し、その厚さの分布に基づいて、その原稿の全面上でその原稿の厚さとは異なる厚さの領域を判別し、その判別した領域を含む領域毎に読み取りの条件（読み取りの要否）を設定することにより、圧板読み取り時にも、原稿全体の厚さ検知を行って、原稿の特定領域（上記異なる厚さの領域）の画像のみを読み取ることができる。
【図面の簡単な説明】
【００１３】
【図１】この発明の一実施形態である画像読取装置の概略構成例を示す図である。
【図２】図１に示した画像読取装置のシステム構成例を示すブロック図である。
【図３】原稿の基準値を超えた厚み部分を読み取り領域として特定する方法を説明するための説明図である。
【図４】同じくその方法を説明するための他の説明図である。
【図５】図２のＣＰＵ１７による特定情報読み取りモード設定時の読み取り処理の一例を示すフロー図である。
【図６】図３の（ｃ）に示した原稿全体の厚さ分布とその分布から判定する複数の厚さレベルとの関係の一例を示す線図である。
【発明を実施するための形態】
【００１４】
以下、この発明を実施するための形態を図面に基づいて具体的に説明する。
以下の実施形態では、原稿の全面上でその原稿の厚さ（厚み）とは異なる厚さの領域の画像読み取りに際して、以下の特徴を有する。つまり、コンタクトガラスの上面にセットされた原稿をそのコンタクトガラスの下面側から走査することにより、その原稿全体の厚さ検知を行い、それによる原稿全体の厚さの分布から特定領域（原稿の全面上でその原稿の厚さとは異なる厚さの領域）を含む領域毎に読み取り条件を設定し、その条件に従って原稿の画像読み取りを行うことが特徴になっている。
そこで、その特徴について、図１〜図６を参照して具体的に説明する。
【００１５】
まず、この発明の一実施形態である画像読取装置の基本的な構成および原稿の画像読み取り動作について、図１を参照して説明する。
図１は、この発明の一実施形態である画像読取装置の概略構成例を示す図である。
この画像読取装置は、原稿Ｐをセットする透明な板状部材であるコンタクトガラス１と、そのコンタクトガラス１の上面に対して開閉可能な圧板２とを備えている。また、コンタクトガラス１の下側には、その幅方向である主走査方向の長さの反射板（反射ミラー）３，４，露光ランプ（照明ランプ）５，および原稿厚さセンサアレイ６をそれぞれ備えている。反射板３，４，露光ランプ５は、光学系であり、キャリッジに搭載されている。なお、圧板２の代わりに、圧板としての機能を兼ねるＡＤＦを備えることも可能である。
【００１６】
このような画像読取装置では、読み取り動作の実施にあたり、ユーザにより圧板２が開かれ、コンタクトガラス１上に原稿Ｐがセットされた後、後述する操作部２０（図２参照）上の原稿読取ボタンの押下によって原稿Ｐの画像読み取り動作（以下単に「読み取り動作」という）の開始が指示されると、反射型センサアレイである原稿厚さセンサアレイ（以下単に「原稿厚さセンサ」という）６をコンタクトガラス１の長手方向である副走査方向に移動させ、その原稿厚さセンサ６にコンタクトガラス１の上面にセット（載置）された原稿Ｐをそのコンタクトガラス１の下面側から走査させることにより、その原稿Ｐ全体の厚さ検知を行って、その厚さの分布を取得する。
【００１７】
その後、露光ランプ５および反射板３，４を光路長が変わらないように異なる速度で副走査方向に移動させながら、コンタクトガラス１上にセットされた原稿の下面（画像面）を露光ランプ５により照明することにより、その画像面からの反射光像が反射板３，４を介して後述するＣＣＤ１１（図２参照）へ順次送られて、原稿Ｐの画像読み取りが行われる。
【００１８】
ここで、原稿厚さセンサ６を用いた原稿Ｐ全体の厚さ検知は、公知の技術（例えば特許文献１参照）を利用することによって行うことができる。例えば、副走査方向へ移動する原稿厚さセンサ６の全発光部を発光させて原稿全体に順次光を照射し、その原稿Ｐ全体からの反射光を原稿厚さセンサ６の全受光部で順次受光することにより、原稿Ｐ全体の各位置毎の発光量と受光量との比率からその各位置の光透過率を求め、その各光透過率から原稿Ｐ全体の厚さを検知することができる。
【００１９】
次に、図１に示した画像読取装置のシステム構成について、図２を参照して説明する。
図２は、その画像読取装置のシステム構成例を示すブロック図である。
この画像読取装置では、ＣＣＤ１１，ＩＰＵ（画像処理ユニット）１２，画像蓄積装置１３，読取制御部１４，原稿厚さセンサ６，ＲＡＭ１５，不揮発性メモリ１６は、ＣＰＵ１７により、バス１８を通じて制御される。
【００２０】
ＣＰＵ１７は、プログラムが格納されているＲＯＭを内蔵したマイクロコンピュータであり、そのプログラムを実行し、読み取り動作を制御する。
それによって、読取制御部１４が、モータ１９および図示しない駆動機構を駆動することにより、原稿厚さセンサ６を副走査方向に移動させつつ、原稿厚さセンサ６を駆動させて、原稿厚さセンサ６にコンタクトガラス１の上面にセットされた原稿Ｐを走査させることにより、その原稿Ｐの厚さ情報を連続的に取り込んでＲＡＭ１５に蓄積する。
【００２１】
また、読取制御部１４は、モータ１９および図示しない駆動機構を駆動することにより、露光ランプ５等を移動させつつ、その露光ランプ５を点灯させて、コンタクトガラス１上にセットされた原稿Ｐの画像面を照明する（走査させる）ことにより、その画像面からの反射光像を得る。その反射光は、ＣＣＤ１１によって電子的な信号（アナログ信号）に変換されるため、その信号に対してＩＰＵ１２によって適切な画像処理を加えた後、画像データ（デジタル信号）として画像蓄積装置１３に保存する。
【００２２】
画像蓄積装置１３は、画像データ等の各種データを保存するためのＨＤＤ（ハードディスク装置）等の大容量記憶手段である。
不揮発性メモリ１６は、後述する閾値等の情報を記憶保持する記憶手段である。この不揮発性メモリ１６は、閾値記憶手段としての機能を果す。
操作部２０は、後述する設定値や読取制御部１４等に対する要求をユーザ操作によって入力するための操作キーおよび表示器を備えている。
【００２３】
ここで、ＣＣＤ１１，ＩＰＵ１２，画像蓄積装置１３，読取制御部１４，ＲＡＭ１５，，ＣＰＵ１７，モータ１９，および図１によって説明した光学系が、画像読取手段を構成する。また、読取制御部１４およびＣＰＵ１７が読み取り条件設定手段および読み取りモード設定手段としての機能を果す。更に、原稿厚さセンサ６，読取制御部１４，ＣＰＵ１７，およびモータ１９が、原稿厚さ検知手段としての機能を果す。読取制御部１４およびＣＰＵ１７が領域判別手段としての機能を果す。
【００２４】
次に、図２に示した画像読取装置によるこの発明に関わる処理の流れについて、図３〜図６を参照して説明する。
図３，図４は、原稿の基準値（閾値）を超えた厚み部分を読み取り領域として特定（認識）する方法を説明するための説明図である。
【００２５】
図３の（ａ）は、宛名シール等の特定情報シールＳが貼着された原稿Ｐと、その原稿Ｐがセットされているコンタクガラス１と、原稿厚さセンサ６との位置関係を画像形成装置の上面側から示すものである。図３の（ｂ）は、その位置関係を圧板２を含めて画像形成装置の正面側から示すものである。図３の（ｃ）は、原稿厚さセンサ６が副走査方向Ａに移動してコンタクトガラス１の上面にセットされた原稿Ｐをコンタクガラス１の下面側から走査して得られる原稿Ｐ全体の厚さ分布と特定領域（原稿Ｐの全面上でその原稿の厚さとは異なる厚さの領域）を特定するための閾値（基準値）ＶＬ２との関係を示すものである。なお、この図では、便宜上、１次元で表記しているが、実際には２次元での圧さ分布をとることになる。
【００２６】
図４（ａ）は、原稿厚さセンサ６が副走査方向Ａに移動・走査して厚さ検知を行う特定情報シールＳを含む原稿Ｐを、同図の（ｂ）は、その厚さ検知によって取得した原稿全体の厚さ分布（各領域毎の厚さの分布）を示す厚さ情報（センサデータ）を図２のＲＡＭ１５上で展開した状態をそれぞれ示している。なお、図４の（ａ）（ｂ）では、図示の都合上、原稿Ｐに貼着された情報シールＳの位置が図３の（ａ）（ｂ）と異なっている。
【００２７】
図５は、図２のＣＰＵ１７による特定情報読み取りモード設定時の読み取り処理の一例を示すフローチャートである。この処理は、図２のＣＰＵ１７が、図３，図４に示した特定情報シールＳを含む原稿Ｐのうち、原稿Ｐ全体の厚さ分布を測定し、基準値以上の領域である特定情報シールＳのみを読み取り領域として特定し、特定情報シールＳの画像のみを読み取る処理であり、詳細には以下に示す通りである。
【００２８】
図２のＣＰＵ１７は、操作部２０からの指示によって特定情報読み取りモードを設定した後、操作部２０からの読み取り動作の開始指示により、読み取り動作を開始すると、読取制御部１４に制御開始を通知する。
その通知を受けた読取制御部１４は、まず図５のステップＳ１０１において、例えば図４の（ａ）に示すように、原稿厚さセンサ６をモータ１９等の駆動によって副走査方向Ａに移動させ、その原稿厚さセンサ６にコンタクトガラス１上の原稿Ｐを走査させることにより、その原稿Ｐ全体の厚さ検知を行い、その原稿Ｐ全体の厚さ分布を取得する。
【００２９】
原稿Ｐ全体の厚さ検知の結果として取得した原稿Ｐ全体の厚さ分布（各領域毎の厚さの分布）を示す厚さ情報は、例えば図４の（ｂ）に示すようにＲＡＭ１５上に展開して保持する。
次に、ステップＳ１０２へ進み、ＲＡＭ１５上に保持された厚さ情報に基づいて、原稿Ｐの全面上でその原稿の厚さとは異なる厚さの領域（特定領域）を判別する。つまり、厚さ情報から厚さレベルを判定し、そのレベルに応じた厚み領域の切り分けを行う。その厚み領域の切り分けは、例えば図６に示すように、特定の厚み値の下限から上限までに包括される箇所を同等の厚みレベル領域として丸めた厚さ値を持つ同等の領域として扱うことによって実現される。
【００３０】
図６は、原稿全体の厚さ分布とその分布から判定する複数の厚さレベル（この例では「ＶＬ０」，「ＶＬ１」，「ＶＬ２」）との関係の一例を示す線図である。なお、この図６では、便宜上、１次元で表記しているが、実際には２次元での圧さ分布をとることになる。
読取制御部１４は、厚さ領域の切り分けを行った後、ステップＳ１０３へ進み、その切り分けされた厚さ領域のうち、図３の（ｂ）に示した特定領域（この例では最も厚い領域）を特定するための基準値ＶＬ２を超えた領域である特定情報シールＳを、読み取り領域として設定（特定）する。なお、ステップＳ１０２で厚みレベルが最大の領域（最も厚い領域）を切り分け、ステップＳ１０３でその最大の領域を読み取り領域として設定することもできる。
【００３１】
読取制御部１４は、最後にステップＳ１０４へ進み、モータ１９を制御して露光ランプ５等を移動させつつ、その露光ランプ５を点灯させて、コンタクトガラス１上にセットされた原稿Ｐの下面を照明することにより、その下面からの反射光像をＣＣＤ１１によって読み取り、画像データとして画像蓄積装置１３に蓄積し、読み取り動作を完了する。この際、ＩＰＵ１２によって、読み取った原稿Ｐの全面の画像データに対して、先に設定した読み取り領域（読み取り対象範囲）の画像データを切り取りするような読み取り条件を設定することにより、読み取り領域とすべき画像領域部分の画像データのみを読み取ることができる。なお、読み取り領域に対して、読み取り解像度等の他の読み取り条件を設定し、その読み取り条件で読み取り領域とすべき画像領域部分の画像データのみを読み取ることもできる。読み取った画像画像データは、外部の図示しないプリンタ等の画像形成装置へ送信することにより、用紙等の印刷媒体に可視画像として印刷（画像形成）させることもできる。
【００３２】
ここで、上記基準値は、例えば、予め設定された値（閾値）、又は厚さレベルの最も低いレベルの値（最も厚みの小さい領域の厚さ）に予め設定された値（閾値）を加算した値として与えられる。後者の場合、最も厚みの小さい領域の厚さに閾値を加算し、その加算後の値を超えた厚さの領域のみを読み取り領域として設定すると良い。上記の閾値は、外部、例えばユーザからＵＩ（ユーザインタフェース）としての操作部２０を通して入力されるか、又は固定の値として与えられ、不揮発性メモリ１６に記憶保持される。上記読み取り条件も、外部から入力され、不揮発性メモリ１６に記憶保持される。
【００３３】
なお、読み取り領域の厚さ範囲を表わすための限界値も、操作部２０を通して入力されるか、又は固定の値として与えられ、不揮発性メモリ１６に記憶保持しておくこともできる。この場合、上記閾値に対しての差分が上記限界値以内である厚みの領域を読み取り領域として設定することができる。あるいは、最も厚みの小さい領域の厚さに上記閾値を加算し、その加算後の値に対しての差分が上記限界値以内である厚みの領域を読み取り領域として設定することもできる。
【００３４】
また、図５によって説明した処理の例では、１枚の特定情報シールが貼着された原稿を使用したが、複数枚の特定情報シールが貼着された原稿を使用すれば、その各特定情報シール全てを読み取り領域として設定することができる。
さらに、厚さの異なる複数枚の特定情報シールが原稿に貼着されていれば、基準値を超えた領域（又は厚みレベルが最大の領域）に相当する特定情報シールを読み取り領域として設定することもできる。この場合、同様の厚さの領域毎に読み取り条件を設定することができる。
【００３５】
このように、この実施形態の画像読取装置が、原稿厚さセンサをコンタクトガラス１の長手方向である副走査方向に移動させ、その原稿厚さセンサにコンタクトガラスの上面にセットされた原稿をそのコンタクトガラスの下面側から走査させることにより、その原稿全体の厚さを検知し、その厚さの分布に基づいて、その原稿の全面上でその原稿の厚さとは異なる厚さの領域を判別し、その判別した領域を含む領域毎に読み取りの条件（読み取りの要否）を設定することにより、圧板読み取り時にも、原稿全体の厚さ検知を行って、上記異なる厚さの領域（原稿の特定領域）の画像のみを読み取ることができる。
【００３６】
なお、この実施形態の画像読取装置では、読み取りのモードとして、上記異なる厚さの領域の画像読み取りを行う特定情報読み取りモードの他に、原稿の全面の画像読み取りを行う通常読み取りモードを、外部からの指示によって設定することができる。そして、通常読み取りモードが設定された場合には、読み取りの条件を原稿の全面に対して設定することになる。
【００３７】
以上、この発明を画像読取装置に適用した実施形態について説明したが、この発明はこれに限らず、その画像読取装置を搭載したデジタル複写機，ファクシミリ装置，プリンタ等の各種画像形成装置にも適用可能である。それによって、画像形成装置本体が画像読取装置からの画像データを可視画像として印刷媒体に印刷することができる。
【産業上の利用可能性】
【００３８】
以上の説明から明らかなように、この発明によれば、圧板読み取り時にも、原稿全体の厚さ検知を行って、原稿の特定領域の画像のみを読み取ることができる。したがって、使い勝手の良い画像読取装置およびそれを備えた画像形成装置を提供することができる。
【符号の説明】
【００３９】
１：コンタクトガラス    ２：圧板    ３，４：反射板    ５：露光ランプ
６：原稿厚さセンサ    １１：ＣＣＤ    １２：ＩＰＵ    １３：画像蓄積装置
１４：読取制御部    １５：ＲＡＭ    １６：不揮発性メモリ    １７：ＣＰＵ
１８：バス    １９：モータ    ２０：操作部
【先行技術文献】
【特許文献】
【００４０】
【特許文献１】特開平０４−３３４１６３号公報
【図１】
2011193116.tif 000003
【図２】
2011193116.tif 000004
【図３】
2011193116.tif 000005
【図４】
2011193116.tif 000006
【図５】
2011193116.tif 000007
【図６】
2011193116.tif 000008